(57)【特許請求の範囲】
【請求項１】
多元接続方式である第１の通信規格と、前記第１の通信規格と異なる多元接続方式である第２の通信規格とを用いて通信可能な移動体通信端末（１０）を試験対象とし、
少なくとも前記第１の通信規格の基地局を模擬する第１の擬似基地局部（３）を備え、予め設定されたメッセージ情報のシーケンスが記述されたシナリオに従って前記移動体通信端末の動作試験を行う移動体通信端末の試験装置（１）であって、
前記第１の擬似基地局部は、
少なくとも前記第２の通信規格の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力する第１メッセージ処理部（３ｂ）と、
前記第１メッセージ処理部から前記位置登録要求のメッセージ情報を入力すると、このメッセージ情報に対する応答メッセージ情報を出力する特定メッセージ処理部（３ｃ）と、
を備えたことを特徴とする移動体通信端末の試験装置。
【請求項２】
多元接続方式である第１の通信規格を用いた第１の擬似基地局部（３）と、前記第１の擬似基地局部と異なる多元接続方式である第２の通信規格を用いた第２の擬似基地局部（４）とを備え、
前記第１の通信規格及び前記第２の通信規格を用いて通信可能な移動体通信端末（１０）を予め設定されたメッセージ情報のシーケンスが記述されたシナリオに従って動作試験を行う移動体通信端末の試験装置（１）であって、
前記第１の擬似基地局部は、
少なくとも前記第２の擬似基地局部の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力する第１メッセージ処理部（３ｂ）と、
前記第１メッセージ処理部から前記位置登録要求のメッセージ情報を入力すると、このメッセージ情報に対する位置登録許可を示す応答メッセージ情報を出力するとともに、前記第２の擬似基地局部に対して前記位置登録許可を示す応答メッセージ情報を出力したことを示すステート情報を出力する特定メッセージ処理部（３ｃ）と、
を備え、
前記第２の擬似基地局部は、
前記移動体通信端末と前記第２の擬似基地局部との間でやり取りされるメッセージ情報のメッセージ処理を行う第２メッセージ処理部（４ｂ）と、
前記特定メッセージ処理部からの前記ステート情報に基づき、前記移動体通信端末の位置登録が完了した状態にステート変更するステートパラメータ管理部（４ｃ）と、
を備えたことを特徴とする移動体通信端末の試験装置。
【請求項３】
多元接続方式である第１の通信規格と、前記第１の通信規格と異なる多元接続方式である第２の通信規格とを用いて通信可能な移動体通信端末（１０）を試験対象とし、
少なくとも前記第１の通信規格の基地局を模擬する第１の擬似基地局部（３）を備え、予め設定されたメッセージ情報のシーケンスが記述されたシナリオに従って前記移動体通信端末の動作試験を行う移動体通信端末の試験装置（１）であって、
前記第１の擬似基地局部は、
少なくとも前記第２の通信規格の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力するステップと、
前記出力された前記位置登録要求のメッセージ情報に対する応答メッセージ情報を出力するステップと、
を含むことを特徴とする移動体通信端末の試験方法。
【請求項４】
多元接続方式である第１の通信規格を用いた第１の擬似基地局部（３）と、前記第１の擬似基地局部と異なる多元接続方式である第２の通信規格を用いた第２の擬似基地局部（４）とを備え、
前記第１の通信規格及び前記第２の通信規格を用いて通信可能な移動体通信端末（１０）を予め設定されたメッセージ情報のシーケンスが記述されたシナリオに従って動作試験を行う移動体通信端末の試験装置（１）を用い、
少なくとも前記第２の擬似基地局部の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力するステップと、
前記位置登録要求のメッセージ情報を入力すると、このメッセージ情報に対する位置登録許可を示す応答メッセージ情報を出力するとともに、前記第２の擬似基地局部に対して前記位置登録許可を示す応答メッセージ情報を出力したことを示すステート情報を出力するステップと、
前記移動体通信端末と前記第２の擬似基地局部との間でやり取りされるメッセージ情報のメッセージ処理を行うステップと、
前記ステート情報に基づき、前記移動体通信端末の位置登録が完了した状態にステート変更するステップと、
を含むことを特徴とする移動体通信端末の試験方法。
【発明の詳細な説明】
【技術分野】
【０００１】
本発明は、各種通信方式（例えば、ＣＤＭＡ２０００、ＬＴＥ等）の任意の通信方式を採用した移動体通信端末（携帯電話等）の動作試験を行う移動体通信端末の試験装置及び試験方法に関するものである。
【背景技術】
【０００２】
従来からの通信方式であるＷ−ＣＤＭＡ、ＣＤＭＡ２０００（ＣＤＭＡ２０００  １Ｘ、ＣＤＭＡ２０００ＥＶ−ＤＯを含む、以下、これらを総称して「Ｃ２Ｋ」という）、ＧＳＭを利用した移動体通信端末（携帯電話等）の動作試験を行う疑似基地局装置として、下記特許文献１に開示されるものが知られている。以下、従来の通信方式として、Ｃ２Ｋを例にして説明する。
【０００３】
ところで、近年、上述した従来の通信方式であるＣ２Ｋに対し、更なる高速データ通信を実現するための次世代の通信方式として、ＬＴＥ（Long Term Evolution ）の開発が進められている。
【０００４】
このＬＴＥは、下りにＯＦＤＭＡ（Orthogonal Frequency Division Multiple Access ：直交周波数分割多元接続) 、上りにＳＣ−ＦＤＭＡ（Single Carrier Frequency Division Multiple Access ：シングルキャリア周波数分割多元接続）を採用し、ピークデータレートが下り方向１００Ｍｂｐｓ以上、上り方向５０Ｍｂｐｓ以上（何れも周波数帯域幅が２０ＭＨｚにおいて）の通信速度を要求条件としており、Ｃ２Ｋ通信事業者の多くは、将来的にＬＴＥの採用を予定している。
【０００５】
しかしながら、通信設備の整備の問題や技術的問題（現状、データ通信にはパケット交換ネットワークを有するＬＴＥが適する一方、電話やＳＭＳは回線交換ネットワークを有する既存のＣ２Ｋが適する）があるため、当面はＬＴＥとＣ２Ｋを共存させ、徐々にＬＴＥの通信エリアを拡大しながら、最終的にＣ２Ｋのサービスを終了させてＬＴＥに移行する方向である。
【０００６】
ところで、携帯電話には、ＬＴＥとＣ２Ｋの通信を同時に行えないものがある。このような、携帯電話の利用に際し、最寄りのＬＴＥ基地局とＣ２Ｋ基地局との双方の間で位置登録を行う必要があり、このように異なる通信方式の基地局間の位置登録を行ってスムーズなハンドオーバを行う仕組みが通信規格で規定されている。
【０００７】
すなわち、ＬＴＥ基地局は、Ｃ２Ｋ基地局の基地局情報を内部的に保持し、携帯電話に対して自身の基地局情報とＣ２Ｋの基地局情報とを報知情報として報知できるようになっている。また、ＬＴＥ基地局は、通信していた携帯電話の位置登録情報を、有線ネットワークを介してＣ２Ｋ基地局に通知できるようになっている。よって、携帯電話は、本来、Ｃ２Ｋ基地局と行わなければならない位置登録処理をＬＴＥ基地局と行うことができ、Ｃ２Ｋ基地局と携帯電話との間は、呼接続処理を行うだけでよい。
【０００８】
このように、ＬＴＥとＣ２Ｋとが共存期間中に、パケット交換ネットワークにおいて音声通信等の回線交換通信を行いたい場合には、回線交換ネットワークを有する移動通信システムに在圏を移し、回線交換通信を行う方法の一つであるＣＳＦａｌｌｂａｃｋ（ＣＳＦＢ）を用いることで、ＬＴＥ基地局とＣ２Ｋ基地局との間でハンドオーバを適宜行ってサービスに応じた基地局と通信することが可能となる。
【０００９】
なお、このような異なる通信方式の基地局間における移動体通信端末のハンドオーバ試験を行うための装置としては、例えば下記特許文献２に開示されるものが知られている。
【先行技術文献】
【特許文献】
【００１０】
【特許文献１】特開２００６−５０５６７号公報
【特許文献２】特開２０１０−１３６３４１号公報
【発明の概要】
【発明が解決しようとする課題】
【００１１】
しかしながら、通信方式の異なる基地局間において、位置登録を含めた強制ハンドオーバ試験を行う場合、実際のＬＴＥ基地局とＣ２Ｋ基地局との間で通信が発生する。そのため、実際の通信状態と同じように試験装置内でＬＴＥ擬似基地局とＣ２Ｋ擬似基地局との間のハンドオーバ動作を実現しようとした場合、ＬＴＥ擬似基地局とＣ２Ｋ擬似基地局との間の通信処理の負荷により処理速度が低下するという問題があった。
【００１２】
また、実際の基地局装置では、予め決められた通信方式や機能に最適な設計がなされているため、そのような不具合は生じないが、試験装置の擬似基地局では、ユーザが所望する多様な通信方式や機能に対応する必要があり、さらに通信異常時における端末の動作確認のため、実際の基地局装置では通常ありえないような動作ができなければならない場合もある。このため、基地局としての処理能力は、実際の基地局装置よりも擬似基地局の方が劣っており、さらに処理能力を高めるには多大なコストが掛かってしまうという問題があった。
【００１３】
そこで、本発明は上記問題点に鑑みてなされたものであって、位置登録試験やハンドオーバ試験等の異なる通信規格の擬似基地局間で行われる通信処理の負担を軽減することができる移動体通信端末の試験装置及び試験方法を提供することを目的としている。
【課題を解決するための手段】
【００１４】
上記目的を達成するため、本発明の請求項１に記載された移動体通信端末の試験装置は、多元接続方式である第１の通信規格と、前記第１の通信規格と異なる多元接続方式である第２の通信規格とを用いて通信可能な移動体通信端末１０を試験対象とし、
少なくとも前記第１の通信規格の基地局を模擬する第１の擬似基地局部３を備え、予め設定されたメッセージ情報のシーケンスが記述されたシナリオに従って前記移動体通信端末の動作試験を行う移動体通信端末の試験装置１であって、
前記第１の擬似基地局部は、
少なくとも前記第２の通信規格の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力する第１メッセージ処理部３ｂと、
前記第１メッセージ処理部から前記位置登録要求のメッセージ情報を入力すると、このメッセージ情報に対する応答メッセージ情報を出力する特定メッセージ処理部３ｃと、
を備えたことを特徴とする。
【００１５】
請求項２に記載された移動体通信端末の試験装置は、多元接続方式である第１の通信規格を用いた第１の擬似基地局部３と、前記第１の擬似基地局部と異なる多元接続方式である第２の通信規格を用いた第２の擬似基地局部４とを備え、
前記第１の通信規格及び前記第２の通信規格を用いて通信可能な移動体通信端末１０を予め設定されたメッセージ情報のシーケンスが記述されたシナリオに従って動作試験を行う移動体通信端末の試験装置１であって、
前記第１の擬似基地局部は、
少なくとも前記第２の擬似基地局部の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力する第１メッセージ処理部３ｂと、
前記第１メッセージ処理部から前記位置登録要求のメッセージ情報を入力すると、このメッセージ情報に対する位置登録許可を示す応答メッセージ情報を出力するとともに、前記第２の擬似基地局部に対して前記位置登録許可を示す応答メッセージ情報を出力したことを示すステート情報を出力する特定メッセージ処理部３ｃと、
を備え、
前記第２の擬似基地局部は、
前記移動体通信端末と前記第２の擬似基地局部との間でやり取りされるメッセージ情報のメッセージ処理を行う第２メッセージ処理部４ｂと、
前記特定メッセージ処理部からの前記ステート情報に基づき、前記移動体通信端末の位置登録が完了した状態にステート変更するステートパラメータ管理部４ｃと、
を備えたことを特徴とする。
【００１６】
請求項３に記載された移動体通信端末の試験方法は、多元接続方式である第１の通信規格と、前記第１の通信規格と異なる多元接続方式である第２の通信規格とを用いて通信可能な移動体通信端末１０を試験対象とし、
少なくとも前記第１の通信規格の基地局を模擬する第１の擬似基地局部３を備え、予め設定されたメッセージ情報のシーケンスが記述されたシナリオに従って前記移動体通信端末の動作試験を行う移動体通信端末の試験装置１であって、
前記第１の擬似基地局部は、
少なくとも前記第２の通信規格の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力するステップと、
前記出力された前記位置登録要求のメッセージ情報に対する応答メッセージ情報を出力するステップと、
を含むことを特徴とする。
【００１７】
請求項４記載に記載された移動体通信端末の試験方法は、多元接続方式である第１の通信規格を用いた第１の擬似基地局部３と、前記第１の擬似基地局部と異なる多元接続方式である第２の通信規格を用いた第２の擬似基地局部４とを備え、
前記第１の通信規格及び前記第２の通信規格を用いて通信可能な移動体通信端末１０を予め設定されたメッセージ情報のシーケンスが記述されたシナリオに従って動作試験を行う移動体通信端末の試験装置１を用い、
少なくとも前記第２の擬似基地局部の基地局情報を含む報知情報を前記移動体通信端末に対して送信し、その送信に伴う応答メッセージ情報として位置登録要求のメッセージ情報を含むデータを受信すると、このデータから前記位置登録要求のメッセージ情報を抽出して出力するステップと、
前記位置登録要求のメッセージ情報を入力すると、このメッセージ情報に対する位置登録許可を示す応答メッセージ情報を出力するとともに、前記第２の擬似基地局部に対して前記位置登録許可を示す応答メッセージ情報を出力したことを示すステート情報を出力するステップと、
前記移動体通信端末と前記第２の擬似基地局部との間でやり取りされるメッセージ情報のメッセージ処理を行うステップと、
前記ステート情報に基づき、前記移動体通信端末の位置登録が完了した状態にステート変更するステップと、
を含むことを特徴とする。
【発明の効果】
【００１８】
本発明の移動体通信端末の試験装置によれば、位置登録試験のような第１の擬似基地局部であるＬＴＥ擬似基地局部と第２の擬似基地局部であるＣ２Ｋ擬似基地局部との間で行われるメッセージ情報のやり取りを極力省略することでトラフィックの軽減が図れ、被試験端末や各擬似基地局部との間のデータ通信速度を速めることができる。
【図面の簡単な説明】
【００１９】
【図１】本発明に係る第１形態の移動体通信端末の試験装置の構成を示す機能ブロック図である。
【図２】同装置の詳細な構成を示す機能ブロック図である。
【図３】同装置における位置登録試験の処理例を示すシーケンス図である。
【図４】同装置におけるハンドオーバ試験の処理例を示すシーケンス図である。
【図５】本発明に係る第２形態の移動体通信端末の試験装置の構成を示す概略ブロック図である。
【発明を実施するための形態】
【００２０】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００２１】
また、以下に説明する各形態では、本発明の特徴要件が明確となるように、試験対象となる移動体通信端末の位置登録試験やハンドオーバ試験のような異なる通信規格の擬似基地局部間で行われる通信処理の軽減を図るための構成要件についてのみ説明するが、例えば上述した特許文献１，２に記載されるような移動体通信端末における各通信規格に準ずる一般的な動作試験（試験項目の一例としては、ＣｅｌｌＳｅｌｅｃｔｉｏｎ試験、ＣｅｌｌＲｅｓｅｌｅｃｔｉｏｎ試験等）も実施可能である。
【００２２】
［第１形態］
＜装置構成＞
まず、図１又は図２を参照しながら、第１形態の移動体通信端末の試験装置に関する構成について説明する。
【００２３】
図示のように、第１形態の移動体通信端末の試験装置１は、試験対象となる移動体通信端末１０（以下、「被試験端末１０」ともいう）の各種動作試験を行う試験装置（以下、「移動端末試験装置１」ともいう）であり、被試験端末１０との間でそれぞれ送受信される信号（ＲＦ信号）を結合及び分配する結合部２と、通信規格としてＬＴＥ（Long Term Evolution ）方式を用いる基地局として擬似する第１の擬似基地局であるＬＴＥ擬似基地局部３と、通信規格としてＬＴＥ方式と異なる多元接続方式のＣＤＭＡ２０００（ＣＤＭＡ２０００  １Ｘ、ＣＤＭＡ２０００ＥＶ−ＤＯを含む、以下、これらを総称して「Ｃ２Ｋ」という）を通信方式として用いる基地局として擬似する第２の擬似基地局であるＣ２Ｋ擬似基地局部４と、ＬＴＥ擬似基地局部３又はＣ２Ｋ擬似基地局部４と被試験端末１０との間で実際の接続環境をシュミレーションするための接続先（電話、サーバ、ＴＶ電話等）の機能を仮想的に果たすネットワーク仮想部５と、装置を構成する各部の制御を行う統括制御部６と、ユーザによる各種設定が行われる操作部７と、試験結果等を表示する表示部８とを備えて構成されている。
【００２４】
なお、移動端末試験装置１と被試験端末１０とは、相互間でＲＦ信号により通信しているが、この伝送方式としては、同軸ケーブル等を介して有線で信号を送受信するようにしてもよく、また移動端末試験装置１にアンテナを設け、無線で信号を送受信するようにしてもよい。また、動作試験中は、被試験端末１０とＬＴＥ擬似基地局部３又はＣ２Ｋ擬似基地局部４の何れかの擬似基地局部とが１対１の関係で通信される。
【００２５】
（ＬＴＥ擬似基地局部）
第１の擬似基地局部であるＬＴＥ擬似基地局部３は、ＬＴＥ側送受信部３ａと、ＬＴＥメッセージ処理部３ｂと、特定Ｃ２Ｋメッセージ処理部３ｃとを備えて構成され、被試験端末１０との間でＬＴＥを通信規格として通信を行う擬似基地局として機能している。
【００２６】
ＬＴＥ側送受信部３ａは、被試験端末１０から結合部２を介して受信したＲＦ入力信号（実行されるシナリオに記述されるシーケンスに従ったメッセージ情報を含む信号）をＲＦ受信処理してＬＴＥメッセージ処理部３ｂにメッセージ情報を含むデータとして出力している。
【００２７】
また、ＬＴＥ側送受信部３ａは、ＬＴＥメッセージ処理部３ｂからメッセージ情報を含むデータを入力すると、このデータをＲＦ送信処理したＲＦ出力信号を被試験端末１０に向けて送信している。
【００２８】
ＬＴＥメッセージ処理部３ｂは、第１の擬似基地局部における第１メッセージ処理部として機能し、ＬＴＥのシナリオに基づき被試験端末１０の所定の動作試験を行うべく、後述するシナリオ記憶手段３ｄに記憶されたシナリオに従って予め選択される仮想接続先と被試験端末１０との間のメッセージ処理を行う。
【００２９】
具体的には、ＬＴＥ側送受信部３ａで受信した被試験端末１０からのメッセージ情報を仮想接続先（仮想電話、仮想サーバ、仮想ＴＶ電話等）に送り、試験内容に応じたＬＴＥのシナリオに基づいてメッセージ処理を行い、処理結果に応じたメッセージ情報を含むデータをＬＴＥ側送受信部３ａに出力している。
【００３０】
また、ＬＴＥメッセージ処理部３ｂは、所定の動作試験を実施するためのシーケンスが記述されたシナリオを記憶するシナリオ記憶手段３ｄと、被試験端末１０に対して送信されるＬＴＥ擬似基地局部３の基地局情報及びＣ２Ｋ擬似基地局部４の基地局情報を報知情報として記憶する報知情報記憶手段３ｅを有するＬＴＥ側記憶部３ｆを備えている。
【００３１】
さらに、ＬＴＥメッセージ処理部３ｂは、本来被試験端末１０とＣ２Ｋ擬似基地局部４との間でやり取りされるメッセージ情報（以下、「Ｃ２Ｋメッセージ情報」という）がカプセル化されたデータを受信すると、このデータのカプセル化を解除してＣ２Ｋメッセージ情報を抽出し、特定Ｃ２Ｋメッセージ処理部３ｃに出力している。また、ＬＴＥメッセージ処理部３ｂは、特定Ｃ２Ｋメッセージ処理部３ｃから出力された特定Ｃ２Ｋメッセージ情報を入力すると、このメッセージをカプセル化したデータをＬＴＥ側送受信部３ａに出力している。
【００３２】
特定Ｃ２Ｋメッセージ処理部３ｃは、第１の擬似基地局部における特定メッセージ処理部として機能し、動作試験としてＬＴＥ擬似基地局部３とＣ２Ｋ擬似基地局部４との間でメッセージのやり取りが行われる動作試験（例えば、位置登録試験、着信・発呼等の通話試験）において、被試験端末１０から送信されたＣ２Ｋメッセージ情報（例えば、位置登録要求メッセージ（Registration Message）等）に対して本来Ｃ２Ｋ擬似基地局部４から送信される応答メッセージ情報（例えば、位置登録試験に関する動作試験時のＣ２Ｋ位置登録許可通知のメッセージ（Registration Accepted Order ）、ネットワークからの音声着信に関する動作試験時の着信通知（General Page Message）等）を特定Ｃ２Ｋメッセージ情報として記憶する特定Ｃ２Ｋメッセージ記憶部３ｇを備えている。
【００３３】
また、特定Ｃ２Ｋメッセージ処理部３ｃは、上記のような動作試験に伴い、Ｃ２Ｋ擬似基地局部４のステート変更等が生じた場合は、その変更内容を示すステート情報（例えば、位置登録試験に関する動作試験の場合は、位置登録完了通知）をＣ２Ｋ擬似基地局部４に出力している。
【００３４】
このように、特定Ｃ２Ｋメッセージ処理部３ｃが特定Ｃ２Ｋメッセージ情報を記憶することで、ＬＴＥ擬似基地局部３とＣ２Ｋ擬似基地局部４との間でメッセージ情報のやり取りが行われるような動作試験を行った際に、本来であればＣ２Ｋ擬似基地局部４との間で行われるＣ２Ｋメッセージ情報のやり取りを特定Ｃ２Ｋメッセージ処理部３ｃ内で処理するため、ＬＴＥ擬似基地局部３とＣ２Ｋ擬似基地局部４との間で恰も通信しているかのように振る舞うことができる。
【００３５】
これにより、必要な情報（ステート情報）のみを通信して各擬似基地局部の間のメッセージのやり取りを極力減らすことでトラフィックの軽減を図り、被試験端末１０や各擬似基地局部との間のデータ通信速度を速めている。
【００３６】
（Ｃ２Ｋ擬似基地局部）
第２の擬似基地局部であるＣ２Ｋ擬似基地局部４は、Ｃ２Ｋ側送受信部４ａと、Ｃ２Ｋメッセージ処理部４ｂと、ステートパラメータ管理部４ｃとを備え、被試験端末１０との間でＬＴＥ方式と異なる多元接続方式の通信規格であるＣ２Ｋ（ＣＤＭＡ２０００、ＣＤＭＡ２０００  １Ｘ、ＣＤＭＡ２０００ＥＶ−ＤＯを含む）を用いて被試験端末１０との間で通信を行う擬似基地局として機能している。
【００３７】
Ｃ２Ｋ側送受信部４ａは、ＬＴＥ側送受信部３ａと同様に、被試験端末１０から結合部２を介して受信したＲＦ入力信号（実行されるシナリオに記述されるシーケンスに従ったメッセージ情報を含む信号）をＲＦ受信処理してＣ２Ｋメッセージ処理部４ｂにメッセージ情報をデータ出力している。
【００３８】
また、Ｃ２Ｋ側送受信部４ａは、実行中のシナリオのシーケンスに応じたメッセージ情報を含むデータをＣ２Ｋメッセージ処理部４ｂから入力すると、このデータをＲＦ送信処理したＲＦ出力信号を被試験端末１０に向けて送信している。
【００３９】
Ｃ２Ｋメッセージ処理部４ｂは、第２の擬似基地局における第２メッセージ処理部として機能し、ＬＴＥとは異なるＣ２Ｋの通信規格のシナリオに基づき被試験端末１０の所定の動作試験を行うべく、後述するＣ２Ｋ側記憶部４ｄに記憶されたシナリオに従って予め選択される仮想接続先と被試験端末１０との間のメッセージ処理を行う。
【００４０】
具体的には、Ｃ２Ｋ側送受信部４ａで受信した被試験端末１０からのメッセージ情報を仮想接続先（仮想電話、仮想サーバ、仮想ＴＶ電話等）に送り、試験内容に応じたＣ２Ｋのシナリオに基づいてメッセージ処理を行い、処理結果に応じたメッセージ情報を含むデータをＣ２Ｋ側送受信部４ａに出力している。
【００４１】
また、Ｃ２Ｋメッセージ処理部４ｂは、被試験端末１０との間で動作試験（例えば、音声着信試験）が行われ、行われている動作に応じてステート変更されると、この変更されたステート情報（例えば、音声着信試験における通話シーケンス完了通知）をステートパラメータ管理部４ｃに出力している。さらに、Ｃ２Ｋメッセージ処理部４ｂは、所定の動作試験を実施するためのシーケンスが記述されたシナリオを記憶するＣ２Ｋ側記憶部４ｄを備えている。
【００４２】
ステートパラメータ管理部４ｃは、Ｃ２Ｋ擬似基地局部４に対しＬＴＥ擬似基地局部３から送信されるステート情報（例えば、位置登録試験における位置登録完了通知）又はＣ２Ｋメッセージ処理部４ｂからのステート情報（例えば、音声着信試験における通話シーケンス完了通知）を入力すると、そのステート情報に従って現在の試験状態を示すパラメータの変更を行っている。
【００４３】
ステート変更処理の一例を挙げると、特定Ｃ２Ｋメッセージ処理部３ｃから、ハンドオーバ試験におけるＣ２Ｋ基地局情報の登録完了通知をステート情報として入力すると、被試験端末１０との間でＣ２Ｋ擬似基地局部４の位置登録処理が完了した状態であるため、位置登録の処理が完了したときと同様にステート変更を行っている。これにより、Ｃ２Ｋメッセージ処理部４ｂは、ハンドオーバ試験のシナリオに従って被試験端末１０との間で通話動作等に関するメッセージ処理が行える状態となる。
【００４４】
ネットワーク仮想部５は、ＬＴＥ擬似基地局部３又はＣ２Ｋ擬似基地局部４と被試験端末１０との間で実際の接続環境をシュミレーションするための接続先（電話、サーバ、ＴＶ電話等）の機能を仮想的に実現している。
【００４５】
統括制御部６は、選択された動作試験に基づくシナリオが実行されるように各擬似基地局部に対するパラメータの設定や動作タイミングに関する制御、ネットワーク仮想部５において実行されるシナリオに応じた仮想接続先の処理動作制御等の、移動端末試験装置１を構成する各部の制御を行っている。
【００４６】
操作部７は、キーボード装置やポインティングデバイス等の入力装置によって構成され、被試験端末１０の試験項目、又はこれら試験項目の組み合わせが入力されるようになっている。
【００４７】
表示部８は、ＬＣＤ（Liquid Crystal Display）等の表示装置で構成され、移動端末試験装置１を駆動する際に必要な各種表示内容（試験項目の選択表示画面や試験結果等）を表示している。
【００４８】
＜処理動作＞
次に、図３、４を参照しながら、上述した移動端末試験装置１における動作試験時の処理動作について説明する。ここでは、動作試験として被試験端末１０とＬＴＥ擬似基地局部３との間における位置登録試験時の処理動作例（図３）、ＬＴＥ擬似基地局部３とＣ２Ｋ擬似基地局部４との間のハンドオーバ試験時の処理動作例（図４）についてそれぞれ説明する。
【００４９】
なお、位置登録動作における「ＬＴＥ位置登録動作」、ハンドオーバ試験における「音声着信動作」、「着信シーケンス動作」、「通話状態動作」及び「通話終了・切断処理動作」のメッセージ処理についてはその詳細を省略し、本発明の要部となるメッセージ情報のやり取りに関する部分について詳述する。
【００５０】
（位置登録試験）
図３に示すように、被試験端末１０とＬＴＥ擬似基地局部３との間における位置登録試験としては、まず、表示部８の表示内容に従って操作部７を所定操作して位置登録試験のシナリオを実行すると、ＬＴＥ擬似基地局部３から被試験端末１０に対し、ＬＴＥ基地局情報とＣ２Ｋ基地局情報とを含む報知情報を被試験端末１０に送信する（ＳＴ１）。そして、ＬＴＥ擬似基地局部３から送信される報知情報に基づき、ＬＴＥ擬似基地局部３と被試験端末１０との間で被試験端末１０の位置登録動作である「ＬＴＥ位置登録動作」を行う（ＳＴ２）。
【００５１】
次に、被試験端末１０は、被試験端末１０の位置を示す位置情報をＣ２Ｋ擬似基地局部４に登録するため、ＬＴＥ擬似基地局部３にＣ２Ｋ位置登録要求メッセージ（Registration Message）を含むメッセージ情報を送信する（ＳＴ３）。ＬＴＥ擬似基地局部３は、被試験端末１０からＣ２Ｋ位置登録要求メッセージを含むデータを受信すると、このデータのカプセル化を解除してＣ２Ｋ位置登録要求メッセージを抽出し、特定Ｃ２Ｋメッセージ処理部３ｃに出力する（ＳＴ４）。
【００５２】
特定Ｃ２Ｋメッセージ処理部３ｃは、位置登録試験のシナリオに従って入力したＣ２Ｋ位置登録要求メッセージに対する応答メッセージ情報としてＣ２Ｋ位置登録許可通知メッセージ（Registration Accepted Order ）を選択し、ＬＴＥメッセージ処理部３ｂに出力する（ＳＴ５）。
【００５３】
そして、ＬＴＥメッセージ処理部３ｂは、このＣ２Ｋ位置登録許可通知メッセージをカプセル化し、ＬＴＥ側送受信部３ａを介して被試験端末１０に送信する（ＳＴ６）。また、特定Ｃ２Ｋメッセージ処理部３ｃは、被試験端末１０の位置登録が完了したことを示すステート情報をＣ２Ｋ擬似基地局部４に出力し（ＳＴ７）、ステートパラメータ管理部４ｃにおいて、入力したステート情報に従って現在の試験状態を示すパラメータの変更を行い（ＳＴ８）、位置登録試験を終了する。
【００５４】
（ハンドオーバ試験）
図４に示すように、ＬＴＥ擬似基地局部３とＣ２Ｋ擬似基地局部４との間のハンドオーバ試験としては、上述した被試験端末１０の位置登録が完了したことを前提とする。まず、表示部８の表示内容に従って操作部７を所定操作してハンドオーバ試験のシナリオを実行すると、ＬＴＥメッセージ処理部３ｂと特定Ｃ２Ｋメッセージ処理部３ｃとの間で、予め選択される仮想接続先から被試験端末１０に対する「音声着信動作」を行う（ＳＴ１１）。
【００５５】
次に、被試験端末１０に対する着信通知をＬＴＥ擬似基地局部３から行うため、特定Ｃ２Ｋメッセージ処理部３ｃは、特定Ｃ２Ｋメッセージ情報である着信通知メッセージ（General Page Message）を選択してＬＴＥメッセージ処理部３ｂに出力する（ＳＴ１２）。そして、ＬＴＥメッセージ処理部３ｂは、この特定Ｃ２Ｋメッセージ情報をカプセル化し、ＬＴＥ側送受信部３ａを介して被試験端末１０に送信する（ＳＴ１３）。
【００５６】
被試験端末１０は、ＬＴＥ擬似基地局部３からの着信通知メッセージを受け、これに対する応答として着信通知返答メッセージ（Page Response Message ）をＣ２Ｋ擬似基地局部４に送信する（ＳＴ１４）。
【００５７】
次に、Ｃ２Ｋ擬似基地局部４は、被試験端末１０からの着信通知返答メッセージを受信すると、Ｃ２Ｋ擬似基地局部４の特定Ｃ２Ｋメッセージ処理部３ｃと被試験端末１０との間で「着信シーケンス動作」を行う（ＳＴ１５）。Ｃ２Ｋ擬似基地局部４と被試験端末１０との間で通話が行える状態になると、通話シーケンス完了通知をＣ２Ｋメッセージ処理部４ｂからステートパラメータ管理部４ｃに出力し（ＳＴ１６）、ステートパラメータ管理部４ｃで通話状態にステート変更する（ＳＴ１７）。
【００５８】
そして、Ｃ２Ｋ擬似基地局部４と被試験端末１０との間で通話状態とする「通話状態動作」を行い（ＳＴ１８）、所定の動作試験が終了すると「通話終了・切断処理動作」を行い（ＳＴ１９）、ステートパラメータ管理部４ｃで通話試験の完了に伴うステート変更を行って（ＳＴ２０）、ハンドオーバ試験を終了する。
【００５９】
以上説明したように、上述した第１形態の移動端末試験装置１は、ＬＴＥメッセージ処理部３ｂで被試験端末１０から入力したＣ２Ｋメッセージ情報を含むデータを入力すると、このデータのカプセル化を解除してＣ２Ｋメッセージ情報を抽出し、特定Ｃ２Ｋメッセージ処理部３ｃに出力する。特定Ｃ２Ｋメッセージ処理部３ｃは、入力したＣ２Ｋメッセージ情報に対する応答メッセージ情報をＬＴＥメッセージ処理部３ｂに出力し、このメッセージ情報がカプセル化されて被試験端末１０に送信される。
【００６０】
これにより、位置登録試験のようなＬＴＥ擬似基地局部３とＣ２Ｋ擬似基地局部４との間で行われるメッセージ情報のやり取りを極力省略して、恰もＬＴＥ擬似基地局部３とＣ２Ｋ擬似基地局部４との間でメッセージ情報をやり取りしているかのように振る舞うことができるため、試験装置１内部のトラフィックの軽減を図ることができる。
【００６１】
［第２形態］
次に、図５を参照しながら、本発明に係る移動体通信端末の試験装置１の第２形態について説明する。なお、図５において、上述した第１形態の同一構成については同符号を付してその説明を省略し、本形態の要部となる構成要件のみを説明する。
【００６２】
図５に示すように、第２形態では、第１形態の移動端末試験装置１からＣ２Ｋ擬似基地局部４を外し、被試験端末１０との間でＬＴＥを通信規格として通信を行うＬＴＥ擬似基地局部３として機能するとともに、Ｃ２Ｋ擬似基地局部４が存在せずとも特定Ｃ２Ｋメッセージ記憶部３ｇに記憶された特定Ｃ２Ｋメッセージを用いて実行可能な動作試験（例えば、位置登録試験）が行える構成である。なお、ＬＴＥ擬似基地局部３の詳細な構成要件は、図２に示す通りである。
【００６３】
すなわち、本形態では、Ｃ２Ｋ擬似基地局部４が外れた構成となるため、ＬＴＥ擬似基地局部３からＣ２Ｋ擬似基地局部４へのステート情報の出力は行われず、被試験端末１０との間でＬＴＥに関する動作試験及びＣ２Ｋメッセージを用いた動作試験のみ実行可能な構成となる。
【００６４】
そして、処理動作としては、図３に示すように第１形態における位置登録試験のＳＴ１〜ＳＴ６までは同様の処理であり、Ｃ２Ｋ擬似基地局部４が存在しないためＳＴ７及びＳＴ８の処理が省略され、被試験端末１０の位置登録処理までの試験が実行可能となる。
【００６５】
このように、第２形態の移動体通信端末の試験装置１では、Ｃ２Ｋ擬似基地局部４を構成要件から外した構成としたため、ＬＴＥを通信規格とした際の動作試験に加えて位置登録試験等のＣ２Ｋ擬似基地局部４を直接必要とせずＣ２Ｋメッセージのみで実行可能な簡易的な動作試験が行える装置となり、第１形態に比べて装置構成を簡略化することができる。
【００６６】
ところで、上述した各形態において、第１の擬似基地局部３として通信規格をＬＴＥ方式とし、第２の擬似基地局部４としてＬＴＥと異なるＣ２Ｋ方式である構成で説明したが、これに限定されることはなく、少なくとも第１の擬似基地局部３と第２の擬似基地局部４との通信規格が異なる多元接続方式とし、また上述した位置登録試験の処理のように各擬似基地局部間でメッセージ情報のやり取りが行われるような構成であれば、通信規格の組み合わせは特に規定されない。
【符号の説明】
【００６７】
１…移動体通信端末の試験装置（移動端末試験装置）
２…結合部
３…ＬＴＥ擬似基地局部（第１の擬似基地局部）
３ａ…ＬＴＥ側送受信部
３ｂ…ＬＴＥメッセージ処理部（第１メッセージ処理部）
３ｃ…特定Ｃ２Ｋメッセージ処理部（特定メッセージ処理部）
３ｄ…シナリオ記憶手段
３ｅ…報知情報記憶手段
３ｆ…ＬＴＥ側記憶部
３ｇ…特定Ｃ２Ｋメッセージ記憶部
４…Ｃ２Ｋ擬似基地局部（第２の擬似基地局部）
４ａ…Ｃ２Ｋ側送受信部
４ｂ…Ｃ２Ｋメッセージ処理部（第２メッセージ処理部）
４ｃ…ステートパラメータ管理部
４ｄ…Ｃ２Ｋ側記憶部
５…ネットワーク仮想部
６…統括制御部
７…操作部
８…表示部
１０…移動体通信端末（被試験端末）
【図１】
0005314091.tif 000002
【図２】
0005314091.tif 000003
【図３】
0005314091.tif 000004
【図４】
0005314091.tif 000005
【図５】
0005314091.tif 000006